(57)【要約】【課題】本発明は、蓋が外れ難く、かつ、封止部材の追加を必要とせず、簡単に書類ホルダーの蓋ができる書類ホルダー、また、書類の有無や書類の内容を容易に確認できる書類ホルダー、また、使い易く、非常に便利な書類ホルダーを提供することを目的とする。【解決手段】仕様サイズの書類Ｄを収容対象とし、前部１と、後部２と、後部２の上端と繋がる内蓋４と、を有し、前部１の下端と後部２の下端とが繋がって、前部１と後部２の間に仕様サイズの書類Ｄを収容可能とする書類ホルダー１００であって、前部１の高さが、その高さ方向における仕様サイズの書類Ｄの長さよりも短く、内蓋４はその先端が前部１と後部２の間に挿入可能となっており、内蓋４の先端は、前部１の側端と後部２の側端とが繋がっている位置に位置している。【選択図】図５
2019151089.tif 000002
【特許請求の範囲】
【請求項１】
仕様サイズの書類を収容対象とし、
前部と、後部と、前記後部の上端と繋がる内蓋と、を有し、前記前部の下端と前記後部の下端とが繋がって、前記前部と前記後部の間に前記仕様サイズの書類を収容可能とする書類ホルダーであって、
前記前部の高さが、その高さ方向における前記仕様サイズの書類の長さよりも短く、
前記内蓋は、その先端が前記前部と前記後部の間に挿入可能となっており、
前記内蓋の先端は、前記前部の側端と前記後部の側端とが繋がっている位置に達していることを特徴とする書類ホルダー。
【請求項２】
前記仕様サイズの書類が挿入される挿入口は前記前部と前記後部を繋ぐ側部により前記前部と前記後部が離間していることを特徴とする請求項１に記載の書類ホルダー。
【請求項３】
前記前部の高さが、その高さ方向における前記仕様サイズの書類の長さよりも３０ｍｍ以上短いことを特徴とする請求項１に記載の書類ホルダー。
【請求項４】
前記挿入口を覆う外蓋を前記内蓋の外側に備えたことを特徴とする請求項１に記載の書類ホルダー。
【発明の詳細な説明】
【技術分野】
【０００１】
本発明は書類ホルダーに関し、詳しくは前部と後部の間に挿入される内蓋を備えた書類ホルダーに関する。
【背景技術】
【０００２】
書類を持ち運んだり収納したりするための文房具の一つとして、種々の書類ホルダーが提案され、また発売されている。書類ホルダーが持ち運ばれるときに、ドアを開ける時や傘をさす時や不用意に逆さまにした時などに、書類を落下させてしまい書類が汚れたり濡れたりすることや、落下に気付かなかったときは、紛失したりや悪用されたりすることがある。
【０００３】
そのために、書類ホルダーが逆さまにされても書類が落下しないように種々の方法が考えられた。例えば、特許文献１には紐付きの書類ホルダーが記載されている。また、特許文献２にはホックで蓋を保持する書類ホルダーが記載されている。特許文献３には雄雌のファスナで蓋を保持する書類ホルダーが記載されている。特許文献４には背面部に固着された係止用片が差し込み孔に嵌入する書類ホルダーが記載されている。特許文献５には蓋の一部が前面部の中央の差し込み孔に嵌入する書類ホルダーが記載されている。特許文献６には蓋が背面部と前面部の間に入って書類の落下を防止する封筒が記載されている。
【０００４】
また、非特許文献１にはフタがワンタッチで開閉できることを特徴としているホルダーが記載されている。この商品は、０．２ｍｍ厚のポリプロピレン製で、前部と後部と内蓋からなり、前部の上端が後部とは繋がらない舌片が形成され、この舌片が延在した構成となっている。そして、内蓋は、この舌片と後部の間に入って書類の落下を防止するようになっている。
【先行技術文献】
【特許文献】
【０００５】
【特許文献１】特開２００４−１４２２０９号公報
【特許文献２】特開２００１−１７２２３号公報
【特許文献３】特開２００７−２８３６９４号公報
【特許文献４】特開２００３−１９８８８号公報
【特許文献５】特開２００２−６７５６２号公報
【特許文献６】特開２００４−２１７２９９号公報
【非特許文献】
【０００６】
【非特許文献１】株式会社ＬＩＨＩＴ  ＬＡＢ．、製品情報「ワンタッチホルダー」、［online］、［平成３０年４月１６日検索］、インターネット〈URL:https://www.lihit-lab.com/products/catalog/F-3445.html?PHPSESSID=dfc30ef6d849634ef925af9e137936c9〉
【発明の概要】
【発明が解決しようとする課題】
【０００７】
しかしながら、書類ホルダーに要求されるのは落下防止のみではない。書類ホルダーも文房具であることから、当然安価であることも重要である。また、書類ホルダーの中から所望する書類を探し易いことや、書類を入れたか否かの確認をし易いことも要求される。また、蓋の封止作業が容易であり、また、封止作業で蓋を損傷し難いことや、書類ホルダーが長持ちすること等も要求される。
【０００８】
また、販売の際や、未使用状態の時には、書類ホルダーはできるだけ薄い状態が好ましい。特に書類ホルダーは、一枚だけで販売されることもあるが、数枚をセットにして販売されることもある。つまり未使用状態ではできるだけ薄い状態である方が保管場所の削減にもつながる。
対して、特許文献１〜４は、蓋の封止部材の追加が必要となり、高価となる。また、封止部材があるため、その分書類ホルダーが厚くなってしまう。
【０００９】
また、特許文献５は、封止部材を追加する必要はないが、書類を確認するには蓋を差し込み孔から外す必要があり、書類を探すときに手間が掛かる。また、三角形の蓋の先端は、耐久性がないので、何度も封止と開封を繰り返すと蓋の保持力が落ちるという問題がある。また、差し込み孔に蓋の先端を嵌入する作業は難しく、特に多くの書類が収容され書類ホルダーが厚くなっているような場合、嵌入作業は非常に大変である。
【００１０】
特許文献６は、封筒であり、書類ホルダーとはそもそも使用目的が異なる。また、特許文献６は、蓋をする前に封筒に入れられた書類の内容を確認するには開口部を広げるか、いちいち書類を取り出さなければならない。また、蓋を入れ易くするための工夫がなされておらず、作業性が悪くて蓋を痛める恐れがある。
【００１１】
また、発明者自身が非特許文献１の商品を使用してみたところ次のような問題があった。非特許文献１のホルダーは、ワンタッチで開閉できるようにするため、後部とは繋がらない舌片を前部に設け、後部を大きく反らせることにより、挿入口に内蓋を入れる隙間をつくっている。しかしながら、前部の舌片は後部と繋がっていないので、容易に舌片が変形して内蓋が舌片から非常に外れ易い。このために、内蓋が舌片から外れたことに気付かなかった時に、書類が落下する恐れがある。内蓋が簡単に外れてしまうことは、書類が落下し易いということであり、ホルダーに収納された書類などの紛失や損傷に至るために大きな問題である。
【００１２】
また、非特許文献１のホルダーは、ワンタッチで開閉できることが特徴となっているが、ホルダーには、通常柔らかい紙以外の物も収納される。この時、収納される物が硬い物（下敷き、厚紙、ラミネートされた書類、樹脂製カード等）であると、ホルダーの後部を反らせることができなくなってしまい、ワンタッチでの開閉ができなくなってしまった。つまり、非特許文献１のホルダーは、硬い物を収納することが想定された商品とは言えないため、例えば、業務用として仕事で使うホルダーとしては汎用性に欠けるという問題がある。
【００１３】
本発明は、蓋が外れ難く、かつ、蓋の封止部材の追加を必要とせず、簡単に書類ホルダーの蓋ができる書類ホルダーを提供することを目的とする。また、書類の有無や書類の内容を容易に確認できる書類ホルダーを提供することを目的とする。また、使い易く、非常に便利な書類ホルダーを提供することを目的とする。
【課題を解決するための手段】
【００１４】
上記目的を達成するため、本発明の書類ホルダーは、仕様サイズの書類を収容対象とし、前部と、後部と、前記後部の上端と繋がる内蓋と、を有し、前記前部の下端と前記後部の下端とが繋がって、前記前部と前記後部の間に前記仕様サイズの書類を収容可能とする書類ホルダーであって、前記前部の高さが、その高さ方向における前記仕様サイズの書類の長さよりも短く、前記内蓋は、その先端が前記前部と前記後部の間に挿入可能となっており、前記内蓋の先端は、前記前部の側端と前記後部の側端とが繋がっている位置に達していることを特徴とする。
【００１５】
内蓋の先端が後部と前部の間に挿入されることで、内蓋を封止する紐やボタンなどの部材がなくても、逆さまにしたときに内蓋の弾性力で書類の落下を防止することができるので安価である。また、前部の最大の高さが書類の長さよりも短いので、内蓋の両端を指でつまんで封止や開封の作業をすることができ、内蓋の封止や開封の作業性が非常に良い。また、封止や開封の作業による内蓋の損傷が少ない。また、内蓋を開くだけで、書類の有無を確認することができる。また、内蓋の先端が後部と前部との間に挿入される構造であることから、例えば、挿入された内蓋と前部（の裏側）との間に、長い書類や新聞紙を一時的に挿入して持ち運びすることが可能である。このような利用形態は、特許文献５のような前部の切り込みに内蓋の一部のみを入れ込む書類ホルダーではできない。
【００１６】
また、内蓋の先端が前部の側端と後部の側端とが繋がっている位置まで達しているので、内蓋が、簡単に外れることがない。つまり、非特許文献１のホルダーのように、蓋の先端が舌片の位置までだと、後部を少し反らせただけで蓋が簡単に外れてしまうことになるが、本発明の書類ホルダーは、内蓋の先端が前部の側端と後部の側端とが繋がっている位置にあるため、後部を少しそらした程度では内蓋が外れることはない。
【００１７】
なお、仕様サイズの書類とは、例えば、書類ホルダーに収容可能として表記されている所定サイズの書類のことである。従って、書類ホルダーの実際の使用においては、必ずしもこの仕様サイズの書類が収容されるということではない。
【００１８】
また、本発明の書類ホルダーにおいては、前記仕様サイズの書類が挿入される挿入口は前記前部と前記後部をつなぐ側部により前記前部と前記後部が離間していることを特徴とする。
これにより、後部を少し傾けることで内蓋の開閉支点が少し下がり、内蓋の湾曲を少なくして内蓋を前部と後部の間に挿入することができる。
また、本発明の書類ホルダーにおいては、前記前部の高さが、その高さ方向における前記仕様サイズの書類の長さよりも３０ｍｍ以上短いことが好ましい。
【００１９】
一般的な余白寸法３０ｍｍよりも広い蓋が隠す領域であるので、蓋が開いた状態で書類の文字の一部が見え、容易に書類の内容を確認することができる。また、蓋が開いた状態で書類をめくることができるので、書類を処理ホルダーに入れたまま書類の内容の確認や検索などができる。
また、本発明の書類ホルダーにおいては、前記挿入口を覆う外蓋を前記内蓋の外側に備えることが好ましい。
【００２０】
これにより、例えば、並んで収納されている既存の書類ホルダーの間に、新たな書類ホルダーを差し込むとき、既存の書類ホルダーの前部と内蓋に間に新たな書類ホルダーの底部が入り込んだり、底部が既存の書類ホルダーの前部に引っかかって損傷したりすることを、挿入口を覆う外蓋で防止することができる。
【図面の簡単な説明】
【００２１】
【図１】本発明の第１実施形態の書類ホルダーを示す展開図である。
【図２】図２Ａは第１実施形態の書類ホルダーの内蓋を開いた状態の正面図であり、図２Ｂは内蓋を閉じた状態の正面図である。
【図３】図３Ａは内蓋の挿入方法を示す図２ＢのIIIA−IIIA断面図であり、図３Ｂは書類がめくられている状態を示す断面図である。
【図４】本発明の第２実施形態の書類ホルダーを示す展開図である。
【図５】図５Ａは第２実施形態の書類ホルダーの内蓋が閉じられた状態を示す斜視図であり、図５Ｂは内蓋の挿入方法を示す断面図である。
【図６】図６Ａは第２実施形態の書類ホルダーの内蓋を閉じようとする状態を示す撮像であり、図６Ｂは新聞紙が挿入されている状態を示す断面図である。
【図７】図７Ａは第３実施形態の書類ホルダーの内蓋が開かれた状態を示す斜視図であり、図７Ｂは図７Ａの内蓋が閉じられた状態を示す斜視図である。
【図８】図８Ａは第３実施形態の書類ホルダーの内蓋の挿入方法を示す断面図であり、図８Ｂは複数の収納された既存の書類ホルダーの間に新たな書類ホルダーを挿入する状態を示す断面図である。
【発明を実施するための形態】
【００２２】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２３】
［第１実施形態］
図１、図２、図３を用いて、第１実施形態の書類ホルダー１００を説明する。図１は、書類ホルダー１００の展開図である。図２Ａは、書類が挿入されて内蓋４が開いた状態を示す正面図であり、図２Ｂは、内蓋４が閉じている状態を示す正面図である。図３Ａは、図２ＢのIIIA−IIIA断面図で、内蓋４の挿入方法を示し、図３Ｂは、書類Ｄがめくられる状態を示す断面図である。
【００２４】
なお、以下に述べる仕様サイズとは、書類ホルダーに収容可能と表記されている書類Ｄの最大サイズである。つまり、通常書類ホルダーは、収容対象となる書類Ｄ毎に大きさが異なっている。この時の収容対象となる書類Ｄのサイズが仕様サイズである。なお、仕様サイズは、用紙サイズとも言われ、一般にＡ４：２１０×２９７（ｍｍ）がよく用いられるが、Ａ４に限定されるわけではなく、Ｂ５：１７６×２５０（ｍｍ）等他のサイズであっても勿論構わない。また、当然ながら、書類ホルダーに実際に収容される書類が、この仕様サイズの書類に限られるということではない。
【００２５】
書類ホルダー１００は、仕様サイズの書類Ｄを収容対象とし、前部１と、後部２と、後部２の上端と繋がる内蓋４と、を有し、前部１の下端と後部２の下端とが繋がって、前部１と後部３の間に仕様サイズの書類Ｄを収容可能とする書類ホルダーであって、前部１の高さが、その高さ方向における仕様サイズの書類Ｄの長さよりも短く、内蓋４はその先端が前部１と後部２の間に挿入される構成となっている。
【００２６】
書類ホルダー１００をより具体的に説明する。書類ホルダー１００は、収容する書類Ｄの仕様サイズがＡ４であり、Ａ４の書類Ｄを横長で挿入するホルダーである。また、書類ホルダー１００は、厚紙を型抜きして、折り目Ｂ１〜Ｂ６を形成し、糊代を接着剤で接着したものである。図１は、書類Ｄが挿入される内側から見た書類ホルダー１００の展開図である。
【００２７】
書類ホルダー１００は、長方形の前部１と、前部１の図１において上端（図２においては前部１の折り曲げにより上下が逆転し下端となる）長辺に、下端長辺で繋がる長方形の後部２と、前部１の２つの側端短辺に繋がる三角形の側部３と、後部２の上端長辺に長辺で繋がる略長方形の内蓋４と、２つの側部３を後部２に接着するための糊代Ｎと、からなる。
【００２８】
前部１の端部１１は、怪我防止のために、ヘミングのように図１から見て谷折りの折り目Ｂ１で曲げられて前部１の内側に接着される。これは端部１１の補強にもなっている。内蓋４の端部４１も同様に怪我防止と補強のために谷折りの折り目Ｂ２で曲げられて内蓋４の内側に接着される。接着された内蓋４の端部４１は、後述の挿入を容易にするためのＣカットが施されて台形になっている。
【００２９】
前部１と後部２の間には谷折りの折り目Ｂ３が形成されている。この折り目Ｂ３で折り曲げると、図２Ａに示すように、前部１の上端（谷折りの折り目Ｂ１）と、後部２との間に書類Ｄを挿入する挿入口Ｍが形成される。
【００３０】
また、２つの側部３は、谷折りの折り目Ｂ４で内側に曲げられる。そして、２つの糊代Ｎは、側部３側に設けられ、それぞれ谷折りの折り目Ｂ５で曲げられて後部２の背面側に接着される。なお、糊代Ｎが後部２の前面側に接着されていると、書類Ｄが糊代Ｎに引っ掛かるおそれがあるが、書類ホルダー１００はこのような書類Ｄの引っ掛かりを心配する必要はない。このようにして、書類Ｄを挿入できる状態になる。
【００３１】
図２Ａは、書類Ｄを挿入した状態であり、まだ内蓋４が開いたままの状態を示している。そして、後部２と内蓋４の間には谷折りの折り目Ｂ６が形成され、１８０度近く折り曲げることができる。
【００３２】
書類ホルダー１００はＡ４サイズの横長挿入なので、図２Ａに示すように、Ｘ＝２９７ｍｍ、Ｙ＝２１０ｍｍとなる。そして、書類ホルダー１００は、前部１の高さＨ１がＡ４サイズの高さＹ＝２１０ｍｍよりもはるかに短く、例えば、Ｈ１＝１５０ｍｍとなっている。したがって、その差Ｈ２が、Ｙ−Ｈ１＝６０ｍｍとなる。
【００３３】
このように、書類ホルダー１００は、内蓋４を開いた状態で、書類Ｄが露出する露出領域Ｓ１を備えている。このために、書類ホルダー１００は、図２Ａのように内蓋４を開くことで、書類Ｄの挿入口Ｍを広げることなく、書類Ｄの有無を確認することができる。しかも、Ｈ２＝６０ｍｍは一般的なＡ４サイズの用紙の標準的な余白寸法３０ｍｍを遥かに超えている。従って、書類Ｄの文字などの内容を見ることができ、所望する書類が入っている書類ホルダー１００を探すときに内蓋４を開くだけで先頭の書類を見ることができる。また、Ｈ２が長いので、書類ホルダー１００に挿入された複数の書類Ｄを、図３Ｂに示すように、内蓋４を開くだけでめくって見ることができる。また、内蓋４を差し込んだままでも、挿入口Ｍを広げて、書類Ｄの内容を覗き込むことができる。
【００３４】
また、図３Ａに示すように、書類Ｄが挿入された書類ホルダー１００は、書類Ｄが後部２側に寄せられて、内蓋４の先端が前部１と書類Ｄの間（書類Ｄが無ければ内蓋４が前部１と後部２の間）に挿入口Ｍから挿入される。このとき、内蓋４は湾曲される。そして、図２Ｂに示すように、内蓋４の先端が、前部１の側端と後部２の側端とが（側部３を介して）繋がっている位置にまで達しており、前部１と内蓋４は、高さ方向にＨ３だけ重なる。なお、このＨ３の寸法は、長くなり過ぎると、内蓋４の先端挿入が難しくなるので、４０ｍｍ以下が好ましく、より好ましくは３５ｍｍ以下である。
【００３５】
書類Ｄが書類ホルダー１００から落ちるには内蓋４が挿入時のように湾曲しなければならないが、内蓋４が入り込んだ前部１と後部２の距離が側部３の幅以上に広がることはなく、また内蓋４が前部１と重なっているため、挿入時のような内蓋４の過度な湾曲が妨げられ、また、少し湾曲した状態となった内蓋４は元に戻ろうとする力によって書類Ｄを支えることになる。このため、書類Ｄは、書類ホルダー１００が逆さまにされても落ちることはない。
【００３６】
このように、本発明の書類ホルダー１００は、内蓋４の先端が前部１の側端と後部２の側端とが繋がっている位置まで達しているので、内蓋４が外れ難くなっている。これに対して、非特許文献１のような構成の書類ホルダーは、内蓋が簡単に外れてしまい、予期せぬ書類の落下等を招いてしまう。
【００３７】
また、非特許文献１のような構成の書類ホルダーは、下敷き等の想定外の硬い物が書類Ｄと一緒に挿入されると後部を反らせることができなくなり、内蓋を挿入することができなくなってしまう。様々な書類や物をホルダーに収容することが多い業務上の使用においては非常に使い勝手が悪い。一方、本発明の書類ホルダー１００は、後部２を大きく反らせて内蓋４を挿入するのではなく、内蓋４を湾曲させて前部１と書類Ｄの間に内蓋４を挿入させるのが基本的な使い方となっているので、柔らかい書類Ｄと一緒に硬い物が収納されても内蓋４の挿入に影響はない。従って、業務上の使用においても非常に使い勝手がよいと言える。
【００３８】
また、内蓋４が前部１と後部２の間に挿入されて書類Ｄの落下を防止するので、書類ホルダー１００は、紐やボタンなどの封止部材が不要となり、非常に安価である。また、封止部材が不要であるため、例えば、書類ホルダー１００を図１のような展開状態で１０枚セットにして販売するような場合、このセット状態での厚みを薄くすることができる。
【００３９】
また、前部１の最大の高さＨ１が書類Ｄの長さＨ１よりもＨ２だけ短いので、内蓋４のＨ２部分の両端を指でつまんで封止や開封の作業をすることができ（図６Ａ参照）、封止や開封の作業性が良い。また、封止や開封の作業による内蓋４の損傷が少ない。
【００４０】
なお、（図２Ａ参照）書類ホルダー１００は、折り目Ｂ１による前部１の上端が一直線状になっている。しかしながら、前部１の上端については、例えば、両端の領域に対し、内側の領域を少し切り欠いたような形状（例えば、台形に切り欠いた形状）とすることもできる。この時、前部１の高さＨ１とは、両端の領域における最大の高さのことである。
【００４１】
また、書類ホルダー１００は、三角形の側部３を有していたが、側部３を削除しても書類Ｄを収容することが可能である。また、糊代Ｎは必ずしも必要ではなく、テープやホチキスなどで接合することもできる。
【００４２】
［第２実施形態］
図４〜図６を用いて第２実施形態の書類ホルダー１００Ａを説明する。図４は、書類ホルダー１００Ａの展開図である。図５Ａは内蓋４Ａが閉じている状態を示す斜視図であり、図５Ｂは内蓋４Ａの挿入方法を示す断面図である。図６Ａは内蓋４Ａを閉じようとする状態の撮像であり、図６Ｂは新聞紙が挿入されている状態を示す断面図である。
【００４３】
第２実施形態の書類ホルダー１００Ａにおいては、第１実施形態の書類ホルダー１００と構成が同一の部分については同一の参照符号を付与してその詳細な説明は省略し、構成が異なる同一名の部分については参照符号に添え字「Ａ」を付す。
【００４４】
図４の展開図に示すように、書類ホルダー１００Ａは、傷防止と補強の端部１１を備えた前部１と、前部１の図４において上端（なお、図５においては前部１の折り曲げにより上下が逆転し下端となる）長辺に、下端長辺で繋がる長方形の底部（マチ）５と、上端底部５の長辺に下端長辺で繋がる長方形の後部２Ａと、前部１の２つの側端短辺に繋がる長方形の側部３Ａと、後部２Ａの上端長辺に下端長辺で繋がる略長方形の内蓋４Ａと、２つの側部３Ａを後部２Ａに接着するための糊代ＮＡと、からなる。
【００４５】
前部１と底部５間には谷折りの折り目Ｂ７が形成され、底部５と後部２Ａの間には谷折りの折り目Ｂ８が形成され、また、折り目Ｂ７と折り目Ｂ８の間には谷折りの折り目Ｂ１０が形成されている。
【００４６】
２つの側部３Ａには、前部１との境目にそれぞれ谷折りの折り目Ｂ４が形成され、また、中央部分にそれぞれ谷折りの折り目Ｂ１１が形成されている。また、後部２Ａ側に設けられた２つの糊代ＮＡには、それぞれ谷折りの折り目Ｂ９が形成されている。
【００４７】
そして、それぞれの折り目で折り曲げ、また、糊代ＮＡの折り目Ｂ９を側部３Ａに接着させることで、書類ホルダー１００Ａは、書類Ｄを挿入できる状態になる。
【００４８】
なお、書類ホルダー１００Ａでは、底部５と側部３Ａには、谷折りの折り目Ｂ１０、Ｂ１１を形成している。折り目Ｂ１０、Ｂ１１を山折りとした場合、書類ホルダー１００Ａの内部に、山折りによる出っ張りができてしまうが、折り目Ｂ１０、Ｂ１１を谷折りとしているため、内部に出っ張りができない。このため、書類ホルダー１００Ａは、書類Ｄの挿入や、内蓋４Ａが挿入し易くなっている。また、内部側ではなく外側に出っ張りが位置する分、組立状態での書類ホルダー１００Ａが薄くなる。
【００４９】
一方で、折り目Ｂ１０、Ｂ１１を山折りとした場合、組立後の書類ホルダー１００Ａの内側に底部５と側部３Ａとが収納された形状となる。このため、組立後の書類ホルダー１００Ａの正面視での外観がスッキリとしたものとなる。また、書類ホルダー１００Ａは、折り目Ｂ１０、Ｂ１１が使用者によって山折りされた場合のことを考慮して、内側に折り曲げられた側部３Ａが内側に折り曲げられた底部５に当たらないように、側部３Ａの下方が切り取られて開口している（図５Ａを参照）。
【００５０】
後部２Ａには糊代ＮＡの上端の位置に山折りの折り目Ｂ１２が形成されている。後部２Ａに設けられているこの折り目１２は、内蓋４Ａが開いた時に露出する後部２Ａの露出面を後方に曲げるものであり、折り目Ｂ１２により、後部２Ａの上部を外側（後方）に傾け易くなる。そして、書類ホルダー１００Ａは、折り目Ｂ１２によって内蓋４Ａの開閉の支点となる谷折りの折り目Ｂ１３を後方に少し倒すことができるので、図３Ａに示した実施形態に比べ、図５Ｂ、図６Ａに示すように、内蓋４Ａを少ない湾曲で前部１と書類Ｄの間に挿入することができる。なお、必ずしも折り目Ｂ１２がなくても、後部２Ａを傾けることはできるが、折り目Ｂ１２があることで、上記の効果をより一層奏することができる。
【００５１】
なお、折り目Ｂ１２は、この折り目でしっかりと折り曲げるわけではないので、他の折り目のような太さや窪みとは異なり、細く浅い窪みからなる折り目で構わない。また、使用している間に折り目Ｂ１２から切れていくのを低減するため、その両端には円弧の切欠きＣ１が設けられている。
【００５２】
また、内蓋４Ａには第１実施形態と同様に傷防止と補強の端部４１Ａが設けられている。内蓋４Ａを前部１と書類Ｄの間に挿入し易くするために、端部４１Ａの幅は内蓋４Ａよりも狭くなっている。
【００５３】
また、後部２Ａと内蓋４Ａの間には谷折りの折り目Ｂ１３が形成されている。折り目Ｂ１３の両端から切れや傷みが生じ難くするために、折り目Ｂ１３の両端には円弧の切り込みＣ２が設けられている。また、図４、図５Ａに示すＨ３は、第１実施形態と同じく内蓋４Ａの先端が、前部１の側端と後部２Ａの側端とが（側部３Ａを介して）繋がっている位置にまで達している状態での、前部１と内蓋４Ａが高さ方向に重なる寸法である。Ｈ３の適切な寸法は材質や側部３Ａの寸法などによって変わるが、３５ｍｍ以下であることが好ましい。
【００５４】
また、折り目Ｂ１３の一部には台形の切り込みによって折り曲げられずに残るインデックス２１が設けられている。なお、商品によって、このインデックス２１の左右の位置を変えることができ、色も変えることもできる。また、このインデックス２１は見出しとしての効果だけでなく、図５Ａに示すように、その台形の露出部Ｓ２から書類Ｄの有無を簡単に確認できる効果もある。
【００５５】
また、図示していないが、図５Ａの状態で、挿入口Ｍよりも上方（前部１の無い位置）の後部２Ａの側端に側部３Ａのような余分な部分を設けておき、この部分を書類Ｄの挿入ガイドや、書類ホルダー１００Ｂの補強部として用いてもよい。
【００５６】
このように、第２実施形態の書類ホルダー１００Ａは、第１実施形態の書類ホルダー１００と同様の効果を奏するとともに、側部３Ａがあるので、側部３Ａの幅までの多くの書類Ｄを収容することができる。ところで、非特許文献１のような書類ホルダーは、側部がなく、前部と後部が直接繋がっている。従って、少ない書類Ｄしか収容することができない。また、非特許文献１のような舌片に内蓋の先端が達している構成の書類ホルダーに側部を設けようとすると、側部の幅の分舌片による内蓋の保持力が低下するので、より一層内蓋が舌片から簡単に外れてしまい、書類ホルダーとして使用できない。
【００５７】
なお、書類ホルダー１００Ａは、内蓋４Ａが閉じられて、サイズの仕様であるＡ４サイズの書類Ｄが収納された状態でも、図６Ｂに示すように、長い新聞紙ＮＰや長い書類などを前部１と内蓋４Ａの間に挿入することができ、利用形態のバリエーションも多い。通常、文房具は、想定していないような利用を使用者が行うことも多い。従って、利用形態のバリエーションが増えることは文房具である書類ホルダー１００Ａにおいても好ましい。
【００５８】
なお、上述の実施形態の書類ホルダー１００、１００Ａの材質は不透明な厚紙であったが、本発明はこの材質に限定するものではない。紙製以外には、例えば、クリヤーホルダーによく使われているポリプロピレン製でも構わない。また、上述の実施形態の書類ホルダー１００、１００Ａの挿入口Ｍは長手方向であったが、短手方向でもよい。
【００５９】
また、書類ホルダーは、例えば、第２実施形態の書類ホルダー１００Ａの前部１の表側に、透明な合成樹脂製の表ポケットを追加できるような構成でもよい。例えば、前部１に数カ所スリットを設けておき、そのスリットに透明樹脂製シートの挿入片を差し込むことで表ポケットを形成することができる。そして、このように表ポケットを追加することで、書類ホルダーに収容された書類リストを表ポケットの中に挿入しておく、というような使い方ができる。
【００６０】
［第３実施形態］
図７、図８を用いて第３実施形態の書類ホルダー１００Ｂを説明する。図７Ａは、内蓋４Ｂが開いている状態を示す展開図であり、図７Ｂは内蓋４Ｂが閉じている状態を示す展開図である。図８Ａは内蓋４Ｂの挿入方法を示す断面図であり、図８Ｂは複数の収納された既存の書類ホルダー１００Ａ、１００Ｂの間に新たな書類ホルダー１００Ｂを挿入する状態を示す断面図である。
【００６１】
第３実施形態の書類ホルダー１００Ｂにおいては、第２実施形態の書類ホルダー１００Ａと構成が同一の部分については同一の参照符号を付与してその詳細な説明は省略し、構成が異なる同一名の部分については参照符号に添え字「Ｂ」を付す。
【００６２】
第２実施形態の書類ホルダー１００Ａでは、内蓋４Ａが後部２Ａと一体で直接繋がっている構成となっていた。一方、図７Ａ、図７Ｂに示すように、第３実施形態の書類ホルダー１００Ｂでは、後部２Ａと外蓋８が一体で直接繋がっている。そして、内蓋４Ｂは、後部２Ａとは別体となっており、外蓋８の内側に接着剤ＡＤで接着されることで、後部２Ａと間接的に繋がっている構成となっている。そして、後部２Ａと別体で間接的に繋がる内蓋４Ｂが、前部１と後部２Ａの間に挿入され、後部２Ａと一体で直接繋がる外蓋８は、前部１と後部２Ａの間には挿入されず、挿入口Ｍを覆うものとなっている。
【００６３】
このような書類ホルダー１００Ｂは、図８に示すように、内蓋４Ｂを湾曲させて挿入口Ｍに挿入して使用する。この時、第２実施形態のように、後部２Ａを少し傾けることにより、内蓋４Ｂの湾曲を少なくして挿入することもできる。そして、内蓋４Ｂの先端は、前部１の側端と後部２Ａの側端とが（側部３Ａを介して）繋がっている位置にまで達している状態となり、外蓋８は、前部１の外側で挿入口Ｍを覆う。
【００６４】
図８Ｂに示すように、収納された外蓋８が無い第２実施形態の書類ホルダー１００Ａや外蓋８が有る第３実施形態の書類ホルダー１００Ｂの間に、書類ホルダー１００Ｂを挿入する。この時、書類ホルダー１００Ａの前部１側に書類ホルダー１００Ｂが差し込まれる場合、書類ホルダー１００Ｂの底部５の一部が書類ホルダー１００Ａの前部１と内蓋４Ａの間に入り込んだり、底部５が前部１に当たって前部１を損傷させたりする危険性がある。これに対して、書類ホルダー１００Ｂの前部１側に書類ホルダー１００Ｂが差し込まれる場合、外蓋８によって挿入口Ｍが塞がれているのでそのような危険性はない。
このように、第３実施形態の書類ホルダー１００Ｂは、第２実施形態の書類ホルダー１００Ａと同様の効果を奏するとともに、上記のような効果を奏する。
【００６５】
以上のように、本発明の書類ホルダーは、仕様サイズの書類を収容対象とし、前部と、後部と、後部の上端と繋がる内蓋と、を有する書類ホルダーであって、前部の高さが、その高さ方向における仕様サイズの書類の長さよりも短く、また、内蓋は、その先端が前部と後部の間に挿入可能となっており、内蓋の先端は、前部の側端と後部の側端とが繋がっている位置に達している。
【００６６】
なお、内蓋の先端は、前部の側端と後部の側端とが繋がっている位置にまで達する構成が重要であるが、この時の書類ホルダーは、実施形態１〜３のように、前部の側端と後部の側端とが側部を介して間接的に繋がっているものだけでなく、非特許文献１の書類ホルダーのように、前部の側端と後部の側端とが直接繋がっているものでもよい。
【００６７】
また、内蓋の先端が、前部の側端と後部の側端とが繋がっている位置にまで達する構成であれば、非特許文献１のように、書類ホルダーの前部の上端に舌片（後部とは繋がっていない舌片）が設けられていても構わない。
【００６８】
また、本発明の実施形態１〜３では、書類ホルダーの挿入口Ｍが全て長手方向に設けられていたが、短手方向に挿入口Ｍが設けられている構成でも構わない。また、短手方向に挿入口Ｍを設ける構成は、実際に作成して検証したところ、ポリプロピレン製のような樹脂製のホルダーに特に適していた。
【符号の説明】
【００６９】
１００、１００Ａ、１００Ｂ：書類ホルダー
１：前部
２：後部
２１：インデックス
３：側部
４：内蓋
Ｍ：挿入口
Ｓ１：露出領域（内蓋開）
Ｄ：書類
【図１】
2019151089.tif 000003
【図２】
2019151089.tif 000004
【図３】
2019151089.tif 000005
【図４】
2019151089.tif 000006
【図５】
2019151089.tif 000007
【図６】
2019151089.tif 000008
【図７】
2019151089.tif 000009
【図８】
2019151089.tif 000010
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
仕様サイズの書類を収容対象とし、
前部と、後部と、前記後部の上端と繋がる内蓋と、を有し、前記前部の下端と前記後部の下端とが繋がって、前記前部と前記後部の間に前記仕様サイズの書類を収容可能とする書類ホルダーであって、
前記前部の高さが、その高さ方向における前記仕様サイズの書類の長さよりも短く、
前記内蓋は、その先端が前記前部と前記後部の間に挿入可能となっており、
前記内蓋の先端は、前記前部の側端と前記後部の端部とが繋がっている位置に達しており、
前記挿入口を覆う外蓋を前記内蓋の外側に備えたことを特徴とする書類ホルダー。
【請求項２】
前記仕様サイズの書類が挿入される挿入口は前記前部と前記後部を繋ぐ側部により前記前部と前記後部が離間していることを特徴とする請求項１に記載の書類ホルダー。
【請求項３】
前記前部の高さが、その高さ方向における前記仕様サイズの書類の長さよりも３０ｍｍ以上短いことを特徴とする請求項１に記載の書類ホルダー。